(57)【要約】【課題】頭皮を両側から挟み付けて毛根の溝内から汚れや皮脂を効率的に絞り出すとともに、頭皮を効率的にマッサージできる頭皮洗浄およびマッサージブラシを得る。【解決手段】本考案頭皮洗浄およびマッサージブラシ１は、左右対称的な１対のブラシハーフ２を有し、これらブラシハーフ２は、ベース部３と、ベース部の底面に植設して頭皮に接触する複数本のブリスル４と、ベース部の頂面から上方に延在しかつ互いに合流する方向に湾曲するアーム部５と、このアーム部の末端に設けた互い違いにかみ合うヒンジ部６と、これらヒンジ部に貫通して互いに回動自在に連結する枢着手段７と、ヒンジ部の周りに配置する回動手段であって、アーム部を所定限度内で互いに拡開させる方向にばね偏倚させる拡開ばね８を有し、この拡開ばねのばね力に抗してユーザーが力を加えることによって、前記アーム部を互いに接近させることができるようにした回動手段とを設ける。【選択図】図１
0003111144.tif 000002
【実用新案登録請求の範囲】
【請求項１】
かみ合わせの部分を除いて左右対称的な１対のブラシハーフを有し、これらブラシハーフは、ベース部と、このベース部の底面に植設して頭皮に接触する複数本のブリスルと、前記ベース部の頂面から上方に延在しかつ互いに合流する方向に湾曲するアーム部と、このアーム部の末端に設けた互い違いにかみ合うヒンジ部と、これらヒンジ部に貫通して互いに回動自在に連結する枢着手段と、前記ヒンジ部の周りに配置して前記アーム部を所定限度内で互いに拡開させる方向にばね偏倚させるばね手段とを具え、このばね手段のばね力に抗してユーザーが力を加えることによって、前記アーム部を互いに接近させることができるようにしたことを特徴とする頭皮洗浄およびマッサージブラシ。
【請求項２】
前記ベース部の互いに対向する側端縁に、互いに噛合する鋸歯状端縁を設けた請求項１記載の頭皮洗浄およびマッサージブラシ。
【請求項３】
前記ベース部の互いに対向する側端縁に、互いに掛合する直線状端縁を設けた請求項１記載の頭皮洗浄およびマッサージブラシ。
【請求項４】
前記ベース部の互いに対向する側端縁に、互いに掛合する波形端縁を設けた請求項１記載の頭皮洗浄およびマッサージブラシ。
【考案の詳細な説明】
【技術分野】
【０００１】
本考案は、シャンプー時に皮脂や、毛根の汚れを掻き出したり、育毛もしくは発毛剤を塗布するときに頭皮をマッサージする頭皮洗浄およびマッサージブラシに関するものである。
【背景技術】
【０００２】
このような頭髪用ブラシとしては、ブリスル（ブラシ毛）を植設したベース部の側面から側方に延びるグリップを有する一般的タイプのブラシ、またはブリスルを植設したベース部の頂面から上方に年するグリップを設けるものがある。（例えば、特許文献１参照。）
【特許文献１】２００２‐７８７６１号公報
【０００３】
さらに、ブリスルを植設したベース部を電動で振動させるものが知られている。（例えば、特許文献２参照。）
【特許文献２】実開平６‐７５４７３号公報
【考案の開示】
【考案が解決しようとする課題】
【０００４】
しかし、従来のこのようなブラシは、ベース部が全体として同じ方向に移動するだけであるため、毛根内の汚れや、皮脂を毛根の溝から絞り出すことができず、効果的ではなかった。
【０００５】
したがって、本考案は、頭皮を両側から挟み付けて毛根の溝内から汚れや皮脂を効率的に絞り出すとともに、頭皮を効率的にマッサージすることができる頭皮洗浄およびマッサージブラシを得るにある。
【課題を解決するための手段】
【０００６】
この目的を達成するため、本考案は、かみ合わせの部分を除いて左右対称的な１対のブラシハーフを有し、これらブラシハーフは、ベース部と、このベース部の底面に植設して頭皮に接触する複数本のブリスルと、前記ベース部の頂面から上方に延在しかつ互いに合流する方向に湾曲するアーム部と、このアーム部の末端に設けた互い違いにかみ合うヒンジ部と、これらヒンジ部に貫通して互いに回動自在に連結する枢着手段と、前記ヒンジ部の周りに配置して前記アーム部を所定限度内で互いに拡開させる方向にばね偏倚させるばね手段とを具え、このばね手段のばね力に抗してユーザーが力を加えることによって、前記アーム部を互いに接近させることができるようにしたことを特徴とする。
【考案の効果】
【０００７】
本考案によれば、ユーザーは、頭皮洗浄シャンプーや、頭皮マッサージのときに、アーム部をばね力に抗して互いの方向に引き寄せる力を加えたり、力を抜いてばね力のもとにアーム部を拡開させたりすることにより、左右１対のベース部およびこのベース部に植設したブリスルが、毛根の溝を両側から摘んだり、開いたりする。これにより、洗髪時には毛根の溝内から汚れや皮脂をうまく絞り出すことができるとともに、洗髪時か否かに係わらず頭皮を効果的にマッサージすることができる。
【考案を実施するための最良の形態】
【０００８】
本考案の好適な実施例においては、ベース部の互いに対向する側端縁に、互いに噛合する鋸歯状端縁、または互いに掛合する直線状端縁、または互いに掛合する波形端縁を設ける。
【０００９】
次に、図面につき、本考案の好適な実施例を詳細に説明する。
【実施例１】
【００１０】
図１に示すように、本考案による頭皮洗浄およびマッサージブラシ１は、かみ合わせの部分を除いて左右対称的な１対のブラシハーフ２を有する。これらブラシハーフ２は、ベース部３を有する。このベース部３は、図２に示すように、互いに対向する側端縁を互いに噛合し合う鋸歯状端縁とすると好適である。しかし、この鋸歯状端縁形状だけでなく、互いに掛合する直線状端縁または波形端縁とすることもできる。
【００１１】
このベース部３の底面には、頭皮に接触する複数本のブリスル（ブラシ毛）４を植設する。ベース部３の頂面には、アーム部５を一体に設けるか、または別体として互いに回動自在に取り付ける。このアーム部５は、ベース部３の頂面から上方に延在しかつ互いに合流する方向に湾曲させ、このアーム部の末端には、互い違いにかみ合うヒンジ部６を設ける。これらヒンジ部６全体に枢着手段としての枢着ピン７を貫通させ、アーム部５を互いに回動自在に連結する。
【００１２】
ヒンジ部６の周りには、アーム部５を所定限度内で互いに拡開させる方向にばね偏倚させるばね手段８を設ける。このばね手段としては、例えば、ねじりばね８を設ける。このばね８のばね力に抗してユーザーが力を加えることによってアーム部５を互いに接近して閉じたり、またユーザーが力をゆるめることによってアーム部５を互いに遠ざかって開くことができる。これにより、頭皮のマッサージ効果、並びに洗髪時の毛根の溝からの汚れおよび皮脂の効果的な絞り出しを行うことができる。
【産業上の利用可能性】
【００１３】
本考案は、頭皮を清潔に保つとともに、頭皮の血行をよくして頭髪の発毛、育毛を促進する補助ツールとして利用することができる。
【図面の簡単な説明】
【００１４】
【図１】本考案頭皮洗浄およびマッサージブラシの線図的側面図である。
【図２】（ａ）は図１に示す頭皮洗浄およびマッサージブラシの底面図、（ｂ）は頂面図である。
【符号の説明】
【００１５】
１  頭皮洗浄およびマッサージブラシ
２  ブラシハーフ
３  ベース部
４  ブリスル
５  アーム部
６  ヒンジ部
７  枢着ピン（枢着手段）
８  ねじりばね（ばね手段）
【図１】
0003111144.tif 000003
【図２】
0003111144.tif 000004